(57)【特許請求の範囲】
【請求項１】
先端に刃先が設けられていると共に後端側に持ち手となる柄を備えるノミの全部又は後端側を除く一部を収容するための筒部を含むノミ差しであって、
弾性的に屈曲可能な少なくとも２枚のシート状部材のうちの少なくともいずれかの第１のシート状部材を、断面湾曲状をなして張り出すように湾曲させた状態で、いずれか他の第２のシート状部材の表面側に接合することにより前記筒部が形成され、
前記第２のシート状部材は、前記筒部の筒方向におけるノミの抜き取り側の端部である開口端部側がループ状に折り返されて先端が当該第２のシート状部材の裏面側に係止された折返し部を有し、
前記筒部の開口端部には、断面湾曲状に湾曲させた前記第１のシート状部材と、ループ状に折り返されて該第１のシート状部材側に張り出している前記折返し部と、が空間をあけて対面してノミを挟持する一対の挟持部が形成されていると共に、筒方向に窪む凹部が形成されていることを特徴とするノミ差し。
【請求項２】
請求項１において、前記第２のシート状部材がループ状に折り返されて当該第２のシート状部材の裏面側に係止されている位置は、前記筒方向において、前記凹部の形成範囲よりもノミの挿入側に位置していることを特徴とするノミ差し。
【請求項３】
請求項１又は２において、前記凹部は、ノミを介在して対向する２箇所に配置されており、前記一対の挟持部のうちの一方は、両側を前記凹部により挟まれて前記筒部側から舌状に延設されていることを特徴とするノミ差し。
【請求項４】
請求項１〜３のいずれか１項において、前記第２のシート状部材がループ状に折り返された前記折返し部には、ループ状に折り返されて前記第１のシート状部材側に張り出す形状を保持するための形状保持部材が設けられていることを特徴とするノミ差し。
【発明の詳細な説明】
【技術分野】
【０００１】
本発明は、建築用大工道具であるノミを保持するノミ差し（ノミ用ホルダー）に関する。
【背景技術】
【０００２】
従来より、建築作業に従事する職人の多くは、ベルト等に装着可能な工具ホルダーを利用してペンチやドライバ等の各種の工具等を携行し、作業効率を高めようとしている（例えば、特許文献１参照。）。
【先行技術文献】
【特許文献】
【０００３】
【特許文献１】特開２００５−１４１４２号公報
【発明の概要】
【発明が解決しようとする課題】
【０００４】
しかしながら、ペンチとは異なり略棒状のノミは、先端に刃先があって抜け落ち易い上に抜け落ちた際には刃こぼれ等のトラブルが起こり易いことから、ノミを収容する筒部を深くすることが好ましい一方、短いノミの場合、筒部にすっぽり収まってしまい取り出し難くなるおそれが生じるため、脱落を確実性高く防止する機能の確保と、取り出し易さと、の両立が難しいという問題がある。
【０００５】
本発明は、前記従来の問題点に鑑みてなされたものであり、ノミの脱落を確実性高く防止する機能と、取り出し易さと、を両立したノミ差しを提供しようとするものである。
【課題を解決するための手段】
【０００６】
本発明のノミ差しによれば、ノミの抜き取り側に当たる筒部の開口端部側に設けられた一対の挟持部によりノミを挟持することで脱落を確実性高く防止できる。ノミを取り出す際には、筒部の開口端部に設けられた凹部に例えば指先等を差し入れてノミを取り出すことができる。例えば短いノミの柄が筒部に完全に近く収容されてしまったような場合であっても、前記凹部を介して指先等を差し入れれば、比較的容易にノミを取り出すことができる。
【０００７】
このように本発明のノミ差しは、ノミの脱落を確実性高く防止する機能と、取り出し易さと、を両立した優れた特性の工具ホルダーである。
【図面の簡単な説明】
【０００８】
【図１】ノミ差しを示す斜視図。
【図２】ノミ差しを示す正面図、側面図、背面図。
【図３】ノミを収容したノミ差しを示す側面図。
【図４】形状保持部材を例示する説明図。
【図５】その他の凹部を示す説明図。
【図６】その他の折返し部を示す説明図。
【発明を実施するための形態】
【０００９】
本発明の実施の形態につき、以下の実施例を用いて具体的に説明する。
（実施例１）
本例は、大工などの職人がノミを携行するためのノミ差し１に関する例である。この内容について、図１〜図６を用いて説明する。
【００１０】
ノミは、例えば木製棒状の柄に対して同軸をなすよう、先端に刃先を設けた刃物を取り付けた略棒状の道具であり、溝穴を掘る等の大工作業に使用される。ノミには、大きく分類して、ゲンノウで叩くノミと、腕の力で削る突きノミとがある。さらに、ゲンノウで叩くノミには、主に木造建築の柱や横架材の加工に適した長さ２７〜３０ｃｍ程度の大型の叩きノミと、床間などの造作に適した長さ２０〜２２ｃｍ程度の小ぶりな追入れノミと、がある。叩きノミ及び追入れノミには、いずれも、ゲンノウで叩くための鉄環であるカツラが柄の後端に外挿固定されている。
【００１１】
図１及び図２に例示するノミ差し１は、略長方形状のシート状部材の一例である革シートを２枚重ね合わせた革製品である。このノミ差し１においては、表側の革シートである表革１１と背面側の革シートであるベース革１５とが袋状をなすように接合され、これにより、ノミの収容空間をなす筒部１０が形成されている。ノミ差し１の全長は２６ｃｍ程度であって、筒部１０の筒方向の奥行きは２４ｃｍ程度となっている。このようなノミ差し１のサイズは叩きノミや追入れノミの収容に適している。さらに長い突きノミへの適用では、本例よりも筒方向の寸法を長くすると良い。
【００１２】
表革１１及びベース革１５は、弾性的に屈曲可能な厚めの１枚革の革シートよりなる。ノミ差し１における背面側のベース革１５では、ノミを収容する筒部１０の開口端部１０１側が延設されてループ状に折り返されて折返し部１５０が設けられている。ループ状に折り返された先端は、ベース革１５の裏面に係止され鋲打ちで固定されている。完成品としてのノミ差し１は、ベルト通しとして機能するこの折返し部１５０に腰ベルト等を通すことで大工などの職人が身に付けて使用できる。
【００１３】
ノミ差し１における表革１１は、断面湾曲状をなして外側に張り出す形状をなしている。表革１１の側縁部及び下縁部が鋲打ちされてベース革１５に接合されてノミ差し１をなし、これにより有底の筒部１０が形成されている。ノミ差し１では、筒部１０の筒方向における抜き取り側の端部である開口端部１０１からノミを差し入れたり、抜き取りできる。なお、ノミ差し１では、平らな一枚革から切り出された表革１１が断面湾曲状に変形された状態で接合されており、その変形に伴う応力等がベース革１５に作用している。この応力等の作用により、筒部１０に当たる部分のベース革１５は、表革１１側に向かって張り出す断面湾曲状をなすよう、若干変形した状態となっている。ベース革１５のこの断面湾曲形状は、表革１１との間でノミを挟むために有効である。
【００１４】
筒部１０の開口端部１０１をなす表革１１の上端部には、両サイドを切り欠いた幅狭部が設けられ、この幅狭部の形成範囲については上記の鋲打ちによる接合範囲から除外されている。上記の通り表革１１は断面湾曲状に張り出す状態となっているため、幅狭部の両側縁部がベース革１５の表面から浮き上がった状態となり、ベース革１５との間に隙間が形成される。
【００１５】
この隙間は、筒部１０の開口端部１０１から筒方向に窪む凹部１１０を形成し、完成品のノミ差し１においては、表革１１の両サイドに凹部１１０が配置される。この凹部１１０は、筒部１０の内側の収容空間に指先を差し入れ可能な程度のスリット状の隙間となっている。両サイドの凹部１１０に挟まれる表革１１の幅狭部は、筒方向に舌状に突き出す舌状部１１１をなし、あたかもプールの飛び込み板のように付け根部分を介して本体側から弾性的に支持されている。
【００１６】
一方、ベース革１５の上記のループ状の折返し部１５０では、凹部１１０の形成範囲よりも筒方向底側（開口端部１０１とは反対側）に近い位置で、その先端が鋲打ち固定されている。ノミ差し１では、ループ状に折り返されて外側に張り出す折返し部１５０に対して、表革１１の舌状部１１１が対面する状態が形成されている。ノミを収容しない状態における折返し部１５０と舌状部１１１との間隙はノミの柄などの直径よりも狭く設定され、ノミを収容したときに弾性変形を生じて押し拡がるようになっている。筒部１０にノミを収容したときには、折返し部１５０及び舌状部１１１がノミを表裏両側から挟持する一対の挟持部として機能する。
【００１７】
長さ２７〜３０ｃｍ程度の大型の叩きノミ２を本例のノミ差し１に収容した場合、図３（ａ）に例示するように、ノミ差し１から柄２３の後端側がはみ出し、ベース革１５の折返し部１５０と表革１１の舌状部１１１との間にノミ２の柄２３の中間部分が挟持される状態となる。このとき、舌状部１１１が弾性変形して外側に拡がると共に、舌状部１１１側に張り出す折返し部１５０が反対側に押し返された状態となる。さらに、断面円形状の柄２３が押し当たって、折返し部１５０の張り出し形状が若干凹むように変形する状態となる。なお、図３〜図４及び図６では、図の見易さを優先し鋲の図示を省略している。
【００１８】
このようなノミ２の収容状態では、プールの飛び込み板のような舌状部１１１が元の位置に戻ろうとする弾性復帰力、折返し部１５０が舌状部１１１側に戻ろうとする弾性復帰力、及び折返し部１５０の凹みが元に戻ろうとする弾性復帰力が生じる。これらの弾性復帰力は、いずれも、ノミ２の柄２３を挟持して強固に保持し、ノミ２の脱落を防止するのに役立つ力として作用する。
【００１９】
ここで、舌状部１１１、及びループ状に折り返された折返し部１５０は、断面湾曲状を呈している。例えばプラスチック製の下敷きで団扇の代用をする際、平面のままで扇ぐよりも湾曲させた状態で扇ぐ方が風量を大きくすることができるように、断面湾曲状の舌状部１１１あるいは折返し部１５０によれば、上記の弾性復帰力を強くでき、より強い力でノミを挟持できる。なお、筒部１０に当たる部分の上記のベース革１５の断面湾曲形状は、折返し部１５０を剛性高く支持するために適した形状であり、折返し部１５０の弾性復帰力を強くするために有効である。
【００２０】
さらに、ノミ２を収容した際、柄２３などの外周面に沿って外側に拡がるように弾性変形する舌状部１１１、及び柄２３が押し当たって若干凹むように変形すると共に、柄２３などに沿って外側に押し返される折返し部１５０では、その変形等に応じてノミ２の外周面に対する接触面積が拡大する。そして、拡大した接触箇所で生じる摩擦力は、ノミ２を確実性高く保持するために有効に作用する。
【００２１】
次に、長さ２０ｃｍ〜２２ｃｍ程度の小ぶりな追入れノミ２を収容した場合には、図３（ｂ）に例示するように、ノミ差し１の筒部１０に全体がすっぽりと収まるようになる。このような収容状態では、舌状部１１１と折返し部１５０とで柄２３の後端側を挟持する状態でノミ２を保持できる。このような収容状態のノミ２を取り出す際には、両サイドに位置しノミ２を介在して対向する凹部１１０が特に有用になる。例えば親指と人差し指とを凹部１１０に差し入れるとノミ２の柄２３を掴むことができ、比較的容易にノミ２を抜き取ることができる。特に、後端にカツラ２３０が外挿された叩ノミ２であれば、カツラ２３０に指を掛けて極めて容易にノミ２を抜き取って取り出すことができる。なお、同図（ａ）の長いノミ２についても、凹部１１０に差し入れた指先で柄２３を掴んで取り出せば便利である。
【００２２】
例えば筒部１０の奥行きよりも短く底突きしないノミ２の場合、柄２３の後端に外挿固定されたカツラ２３０が舌状部１１１と折返し部１５０との間で挟まれて筒方向におけるノミ２の収容位置が定まってくる。柄２３よりも大径のカツラ２３０が舌状部１１１と折返し部１５０とで挟持された状態であれば、たとえノミ２の刃先が底突きしておらず底から浮いた状態であっても、図３（ｂ）の収容位置よりも奥に押し込まれるおそれが少なく、その後の取り出しが容易である。
【００２３】
以上のように、本例のノミ差し１は、筒部１０よりも長いノミであれば、図３（ａ）のように柄２３の中間部分を舌状部１１１と折返し部１５０とで挟持して確実性高く保持できる。また、筒部１０の奥行きと同程度かさらに短いノミであれば、刃先が底付きするか否かに関わらず図３（ｂ）のように大径のカツラ２３０が挟持される状態で確実性高く保持できる。
【００２４】
なお、指を差し入れる凹部１１０の開口幅については、平均的な指の太さよりも若干狭めに設定しておくことも有効である。幅狭の凹部１１０に指先を差し入れる際には、舌状部１１１の両外側に指が干渉する可能性が高くなる。このように干渉する指先から舌状部１１１に作用する力は、筒方向の尾根をなすように湾曲して張り出す舌状部１１１を横方向に座屈させるように作用する。舌状部１１１が座屈すればその張り出し量が拡大して折返し部１５０との隙間が拡くなるため、ノミ２の取り出しが容易になる。
【００２５】
ここで、ノミ２の脱落防止を確実にするためには、舌状部１１１及び折返し部１５０の外側への押し拡がりに応じて発生する上記の弾性復帰力を強くすれば良いが、当然ながらノミ２の取り出し容易性が損なわれる可能性が高くなる。一方、上記のように指先の力で舌状部１１１を軽く座屈させれば、舌状部１１１の外側への押し拡がりを伴うことなく折返し部１５０との隙間を拡大できるため、ノミ２の取り出し易さを確保できる。
【００２６】
以上のように、両サイドに凹部１１０を設けた表革１１の舌状部１１１に対面するようにループ状の折返し部１５０を設けたノミ差し１によれば、舌状部１１１と折返し部１５０とでノミ２を挟持することで確実性高く脱落を回避できる。このノミ差し１は、短いノミの保持にも適した汎用性の高いものとなっている。舌状部１１１の両サイドの凹部１１０から差し入れた指先等で柄２３を掴むことができるので、筒部１０にすっぽり収まるような短いノミも容易に取り出し可能である。
【００２７】
ノミでは、長期間に渡る使用期間において刃先の研ぎ直しが繰り返され、寸法が３ｃｍ近く短くなることがある。このような軸方向の寸法の変化に対しては、筒部１０の中で刃先が底突きしているか否かに関わらず図３（ｂ）のように柄２３の後端を挟持できるノミ差し１の保持方法が特に有効になる。刃先の研ぎ直しによってノミの寸法が短くなり、筒部１０の中で刃先が底突きする新品時の状態から刃先が浮いてしまう状態に変化した場合でも、サイズ違いの新しいノミ差しを工面する必要がなく、新品のときに調達したノミ差し１をそのまま使用し続けることができるからである。
【００２８】
折返し部１５０のループ形状を保持するための芯材を仕込むことも良い。例えば、図４（ａ）のように、断面円弧状のプラスチック製等の形状保持部材１７１を折返し部１５０のループ形状の上部に仕込めば、丸みを帯びたループ形状を長期間に渡って維持できる。例えば、図４（ｂ）のように、カマボコのようなウレタン製等の形状保持部材１７２を折返し部１５０の内側、表革１１側に配設することも良い。この場合には、長期間に渡る使用中に革の弾力性が低下した場合であっても、折返し部１５０の外周面の張り出し形状を維持でき、収容するノミ２を確実性高く挟持できる。なお、図４中の符号３は、ベルトの断面を示している。
【００２９】
本例は、表革１１の両サイドに凹部１１０を設けた例であるが、図５のように、１箇所のみの凹部１１０を表革１１の中心に設けることも良い。このような構成は叩ノミに適しており、例えば凹部１１０に差し入れた人差し指の指先をカツラ（図３中の符号２３０）に引っ掛けるようにしてノミ２を抜き取ることができる。この場合には、凹部１１０を除く表革１１の端部が折返し部１５０に対面する一方の挟持部として機能する。
【００３０】
なお、本例では、表革１１とベース革１５を鋲打ちにより接合しているが、糸や革ひも等で縫って接合しても良く、接着剤等により接着接合しても良い。
図６のように折返し部１５０において、ベース革１５の裏側への折り返し部分に例えばプラスチック製や革の板状部材１７３を張り合わせて剛性を高めることも良い。この折り返し部分を高剛性にして平面に近づければ、折返し部１５０の表側の湾曲度合い・張出し度合いを高めてノミを挟持する力を強くできる。
【００３１】
以上、実施例のごとく本発明の具体例を詳細に説明したが、これらの具体例は、特許請求の範囲に包含される技術の一例を開示しているにすぎない。言うまでもなく、具体例の構成や数値等によって、特許請求の範囲が限定的に解釈されるべきではない。特許請求の範囲は、公知技術や当業者の知識等を利用して前記具体例を多様に変形、変更あるいは適宜組み合わせた技術を包含している。
【符号の説明】
【００３２】
１  ノミ差し
１０  筒部
１０１  開口端部
１１  表革（シート状部材）
１１０  凹部
１１１  舌状部
１５  ベース革（シート状部材）
１５０  折返し部
１７１、１７２  形状保持部材
２  ノミ
２３  柄
２３０  カツラ
３  ベルト
【図１】
0006548075.tif 000002
【図２】
0006548075.tif 000003
【図３】
0006548075.tif 000004
【図４】
0006548075.tif 000005
【図５】
0006548075.tif 000006
【図６】
0006548075.tif 000007